(57)【要約】      （修正有）【課題】ストロボ本体の発光部全面前側を覆った光拡散板をストロボ本体の頂部で遊動せずに確実に固定でき、他方、使用の際は頂部から爪先で引っ掛けて回動させストロボ本体の発光部の前面に設置外付けできるストロボの拡散板開閉機構を提供する。【解決手段】ストロボ本体１に設けた一対の軸受部に、一辺両隅部近傍の軸着部を嵌装して回動可能に軸支され、ストロボ本体の発光部２を覆う位置と、ストロボ本体の頂部面に添接する位置とにわたって回動可能な光拡散板３とを備えたストロボの拡散板開閉機構であって、ストロボ本体の頂部に光拡散板のサイズより広めの凹所４を設け、該凹所の対向する辺に出っ張り部６ａ，６ｂを対向形成し、光拡散板を凹所に収める時は、出っ張り部に抗して強制的に嵌合し、凹所から光拡散板を取り出す時は爪部に指先を引っ掛けて引き上げてなることを特徴とする外付けストロボの拡散板開閉機構。【選択図】図３
2010032829.tif 000002
【特許請求の範囲】
【請求項１】
ストロボ本体と、このストロボ本体に設けた一対の軸受部に、一辺両隅部近傍の軸着部を嵌装して回動可能に軸支され、前記ストロボ本体の発光部を覆う位置と、前記ストロボ本体の頂部面に添接する位置とにわたって回動可能な光拡散板とを備えたストロボの拡散板開閉機構であって、前記ストロボ本体の頂部に前記光拡散板のサイズより広めの凹所を設け、該凹所の対向する辺に出っ張り部を対向形成し、前記光拡散板を前期凹所に収める時は前記出っ張り部に抗して強制的に嵌合し、前期凹所から前記光拡散板を取り出す時は前記爪部に指先を引っ掛けて引き上げてなることを特徴とする外付けストロボの拡散板開閉機構。
【請求項２】
ストロボ本体と、このストロボ本体に設けた一対の軸受部に、一辺両隅部近傍の軸着部を嵌装して回動可能に軸支され、前記ストロボ本体の発光部を覆う位置と、前記ストロボ本体の頂部面に添接する位置とにわたって回動可能な光拡散板とを備えたストロボの拡散板開閉機構であって、前記ストロボ本体の頂部に前記光拡散板のサイズより広めの凹所を設け、該凹所の周縁に前記凹所の面積を少なくする出っ張り部を形成し、前記光拡散板を前期凹所に収める時は前記出っ張り部に抗して強制的に嵌合し、前期凹所から前記光拡散板を取り出す時は前記爪部に指先を引っ掛けて引き上げてなることを特徴とする外付けストロボの拡散板開閉機構。
【発明の詳細な説明】
【技術分野】
【０００１】
本発明は、所謂、外付けストロボに用いられている光拡散板の開閉機構に関するものである。
【背景技術】
【０００２】
例えば、デジタルカメラ等による被写体撮影時においては、照明光を被写体に照射する外付けのストロボをカメラに取り付けて被写体撮影を実行することが多く行なわれている。
【０００３】
このようなストロボを併用する撮影時においては、ストロボ光による被写体の照明状態を適切にし良好な被写体写真（画像）を得るために、ストロボのストロボ光射出面に対して光拡散板を取り付けてストロボ光を拡散させる場合が多い。
【０００４】
この場合、光拡散板のストロボ光射出面に対する取り付け、取り外しは、着脱式とする構成とする場合が多い。
【０００５】
特許文献１には、金属製のキャビネット内にストロボランプを配置するとともに、拡散板の周辺支持用の受け片を設け、ストロボランプの前面に拡散板を設けて、拡散板を前記受け片により着脱式で挟持するように構成したストロボ装置が開示されている。
【特許文献１】特開２００３−２２２９４０号公報
【発明の開示】
【発明が解決しようとする課題】
【０００６】
本発明は、上記事情に鑑みてなされたものであり、極めて簡略な構成の基にストロボ本体の発光部全面前側を覆った光拡散坂をストロボ本体の頂部で遊動せずに確実に固定でき、他方、使用の際は頂部から爪先で引っ掛けて回動させストロボ本体の発光部の前面に設置できるので便利であり、しかも構造が簡単な外付けストロボの拡散板開閉機構を提供するものである。
【課題を解決するための手段】
【０００７】
本発明は、ストロボ本体と、このストロボ本体に設けた一対の軸受部に、一辺両隅部近傍の軸着部を嵌装して回動可能に軸支され、前記ストロボ本体の発光部を覆う位置と、前記ストロボ本体の頂部面に添接する位置とにわたって回動可能な光拡散板とを備えたストロボの拡散板開閉機構であって、前記ストロボ本体の頂部に前記光拡散板のサイズより広めの凹所を設け、該凹所の周縁に前記凹所の面積を少なくする出っ張り部を形成し、前記光拡散板を前期凹所に収める時は前記出っ張り部に抗して強制的に嵌合し、前期凹所から前記光拡散板を取り出す時は前記爪部に指先を引っ掛けて引き上げるので構造簡単で光拡散板を頂部に固定できる。
【発明の効果】
【０００８】
請求項１及び２の記載の発明によれば、凹所に設けた出っ張り部によって光拡散板を強制的に着脱する構造にしたので、光拡散板が遊動することも無ければ、発光部に確実に配置できる外付けストロボの拡散板開閉機構が提供できる。
【発明を実施するための最良の形態】
【０００９】
本発明は、ストロボ本体と、このストロボ本体に設けた一対の軸受部に、一辺両隅部近傍の軸着部を嵌装して回動可能に軸支され、前記ストロボ本体の発光部を覆う位置と、前記ストロボ本体の頂部面に添接する位置とにわたって回動可能な光拡散板とを備えたストロボの拡散板開閉機構であって、前記ストロボ本体の頂部に前記光拡散板のサイズより広めの凹所を設け、該凹所の対向する辺に出っ張り部を対向形成し、前記光拡散板を前期凹所に収める時は前記出っ張り部に抗して強制的に嵌合し、前期凹所から前記光拡散板を取り出す時は前記爪部に指先を引っ掛けて引き上げる構成なのでストロボ本体の輪郭外にでることなく小型を維持しながら光拡散板を収納できる目的を達成できる。
【実施例】
【００１０】
以下に、本発明の実施例に係る外付けストロボの拡散板開閉機構について図面１乃至図面４を参照して詳細に説明する。
【００１１】
本実施例に係る光拡散板付のストロボ本体１は、図２乃至図４に示すように、ストロボ本体１の発光部２を一辺側の端面（正面）に設けた例えば略直方体状で、このストロボ本体１の一辺側に取り付けたフラップ型の略四角薄板状の光拡散板３と、を有している。
【００１２】
前記発行部２は、ストロボ本体１内に内蔵したストロボ発光ランプからの光を外方に向けて射出するようになっている。
【００１３】
前記光拡散板３は、例えば弾力を有する白色合成樹脂材により略四角薄板状に形成されるとともに、公知のように一面から受光した光を拡散光として他面から射出するように加工されている。
【００１４】
前記ストロボ本体１の一辺から内方に向けて、光拡散板３をストロボ本体１の上面に添接させるための光拡散板３の外形寸法より面積的に若干大きい形状、寸法で平坦な光拡散凹所４を設けている。
【００１５】
そして、凹所４の一辺側端部両隅と、ストロボ本体１の上面とを画する両側壁には、光拡散板３用の一対の軸受部である軸受孔５ａ、５ｂを設けている。
【００１６】
前記光拡散板３の軸受孔５a,５bは、図２に示すように、一対の突起状の軸着部１３ａ、１３ｂを設けている。前記軸着部１３a,１３bは前記軸受け孔５a、５ｂに対応して軸受けされている。
【００１７】
前記凹所４には出っ張り部６a,６bが対向辺で形成される、この場合の出っ張り部６a,６bは図１に示すように内側に向かって突出したもので、これによって光拡散板３は凹所４に強制的に嵌合される。
【００１８】
前記光拡散板３の軸を軸支している反対側の辺には爪部７が形成してあって、前記光拡散板３を凹所４から引き起こす際に指の爪を引っ掛けて引き起こす要をなすように構成している。
【００１９】
次に、前記光拡散板３を凹所４から引き起こす場合は図４に示すように爪部７に指先の爪を引っかけ、引き起こし、軸受け孔５a,５と軸着部１３a,１３bを中心に回動させ、最終的に発光部２を覆う構造になる。前記発光部２より光拡散板３を除く場合は前述の逆の操作によりストロボ本体１の頂部の凹所４に出っ張り部６a,６bに抗して強制的に装着すればよい。
【００２０】
上述した本実施例では出っ張り部６a,６bを対向した辺に対向して形成したがこれに限らず爪部７を形成して辺であっても良いこともちろんである。
【産業上の利用可能性】
【００２１】
本発明の拡散板開閉機構の外付けストロボは、光拡散板３が不使用時にはストロボ本体の外側輪郭よりはみ出さないのでどこかに光拡散板３をぶつけたりするようなことは無くなるのである。
【図面の簡単な説明】
【００２２】
【図１】本発明の実施例に係る出っ張り部の一部拡大斜視図である。
【図２】本実施例に係る光拡散板とストロボ本体の凹所との嵌め合わせを示した平面図。
【図３】本実施例に係るストロボ本体の斜視図。
【図４】本実施例に係る光拡散板をストロボ本体の頂部から発光部に回動し発光部を覆う過程を示した概略的な順序図である。
【符号の説明】
【００２３】
１    ストロボ本体
２    発光部
３    光拡散板
４    凹所
５ａ  軸受け孔
５ｂ  軸受け孔
６a  出っ張り部
６b  出っ張り部
７    爪部
【図１】
2010032829.tif 000003
【図２】
2010032829.tif 000004
【図３】
2010032829.tif 000005
【図４】
2010032829.tif 000006